(57)【要約】【課題】吐水装置が、吐水口部に加えて、ボウル面上に光を照射する第１光照射装置と、吐水装置の前方に向けて光を照射する第２光照射装置と、を備える場合に、吐水装置を薄型化することができると共に、第２光照射装置から照射される光が、第１光照射装置から照射される光と混ざり、第１光照射装置から照射される光の強度や色に影響を与えることを抑制することができる小便器を提供する。【解決手段】本発明の小便器１の吐水装置１０は、洗浄水を吐出する吐水口部１２と、第１光照射装置２０の下方の開口部２６とを形成すると共に、吐水装置１０の内部において第２光照射装置２２を第１光照射装置２０の側方又は上方に配置し、さらに、第１光照射装置２０と第２光照射装置２２との間に遮断部４６を設けている。【選択図】図３
2019167786.tif 000002
【特許請求の範囲】
【請求項１】
ターゲット位置の指示機能を備えた小便器であって、
小便を受ける上記ボウル面及びこのボウル面の底部に設けられた排水口を備えたボウル部と、
上記ボウル面の上部に取り付けられ、洗浄水を吐出することにより、上記ボウル面を洗浄する吐水装置であって、使用者が小便を当てるべきターゲット位置を上記ボウル面上に指示するように、下方の上記ボウル面上に光を照射する第１光照射装置と、
上記小便器の状態を表すような光を上記吐水装置の前方に向けて照射する第２光照射装置と、を備えた上記吐水装置と、を備え、
上記吐水装置は、
洗浄水を吐出する吐水口部と、
上記第１光照射装置の下方の開口部とを形成すると共に、
上記吐水装置の内部において上記第２光照射装置を上記第１光照射装置の側方又は上方に配置し、さらに、上記第１光照射装置と上記第２光照射装置との間に遮断部を設けたことを特徴とする小便器。
【請求項２】
上記遮断部は、上記第２光照射装置の回路基板を覆うポッティング材を充填する区画の一部を形成する、請求項１に記載の小便器。
【請求項３】
上記吐水装置は、上記第１光照射装置が配置される空間及び上記第２光照射装置が配置される空間と、上記吐水口部まで延びる導水路とを仕切る仕切り壁を備えている、請求項１又は２に記載の小便器。
【請求項４】
上記遮断部は、上記吐水装置の内部に上記第１光照射装置及び上記第２光照射装置を配置する吐水装置本体部材と一体に形成されている、請求項１乃至３の何れか１項に記載の小便器。
【請求項５】
上記遮断部は、上記第２光照射装置の周囲を取り囲むように形成されている、請求項１乃至４の何れか１項に記載の小便器。
【発明の詳細な説明】
【技術分野】
【０００１】
本発明は、小便器に関し、特に、ターゲット位置の指示機能を備えた小便器に関する。
【背景技術】
【０００２】
特許文献１には、小便器が記載され、この小便器にはボウル背壁面の上部内面に照明手段が取付けられている。この照明手段はＬＥＤから出力されるレーザー光をボウル背壁面に照射し、使用者に放尿位置を表示している。このように放尿位置を表示させることにより使用者は放尿位置に向かって容易に放尿をすることができる。
【０００３】
また、特許文献２には便器装置（小便器）が記載されており、この小便器では、使用者が小便を当てるべき位置を、ボウル面にレーザ光を照射することにより指示している。この便器装置では、レーザ光の照射器が小便器正面の床面に埋め込まれており、人感センサが小便器への人の接近を検知すると、照射器が床部から突出して、小便器のボウル面の所定位置に向けてレーザ光を照射するように構成されている。
【先行技術文献】
【特許文献】
【０００４】
【特許文献１】特開２０１４−１５６７３９号公報
【特許文献２】特開２００２−２７６０１０号公報
【発明の概要】
【発明が解決しようとする課題】
【０００５】
特許文献１及び２に記載されているように、従来においては、レーザー光の照射装置は小便器のボウル背壁面の上部やボウル部外に光照射装置として独立して配置されていた。本発明の発明者は、レーザー光の照射装置を他の構造部材と一体化してよりシンプルな構成にすることを鋭意研究した結果、小便器の吐水装置とレーザー光の照射装置とを一体化することによりシンプルな構成が実現できることを見出した。
【０００６】
また、近年、小便器の状態を発光して知らせる光照射装置を有する小便器も知られている。このような光照射装置についても、小便器のボウル部の上部やボウル部外に光照射装置として独立して配置されていた。そこで、本発明の発明者は、このような光照射装置についても小便器の吐水装置と一体化することによりシンプルな構成が実現できることを見出した。
【０００７】
小便器外に独立した構造として設けられていたレーザー光の照射装置や光照射装置を、吐水装置に組み込むことにより、小便器のシステムとしてはシンプルな構成が実現された。しかしながら、小便器の吐水装置がレーザー光の照射装置及び光照射装置と一体化して構成されることにより、吐水装置の厚みが増大されるという新たな問題が生じることとなった。吐水装置の厚みが増大されると使用者に違和感を与える可能性があり好ましくない。
【０００８】
そこで、吐水装置の厚みを薄型化するため、吐水装置の内部の限られた領域においてレーザー光の照射装置及び光照射装置を近接して配置しようとすると、それぞれの光源から照射される光が混ざり、光の強度や色に影響を与える問題が生じることとなった。
【０００９】
従って、本発明は、吐水装置が、吐水口部に加えて、ボウル面上に光を照射する第１光照射装置と、吐水装置の前方に向けて光を照射する第２光照射装置と、を備える場合に、吐水装置を薄型化することができると共に、第２光照射装置から照射される光が、第１光照射装置から照射される光と混ざり、第１光照射装置から照射される光の強度や色に影響を与えることを抑制することができる小便器を提供することを目的としている。
【課題を解決するための手段】
【００１０】
上述した課題を解決するために、本発明は、ターゲット位置の指示機能を備えた小便器であって、小便を受ける上記ボウル面及びこのボウル面の底部に設けられた排水口を備えたボウル部と、上記ボウル面の上部に取り付けられ、洗浄水を吐出することにより、上記ボウル面を洗浄する吐水装置であって、使用者が小便を当てるべきターゲット位置を上記ボウル面上に指示するように、下方の上記ボウル面上に光を照射する第１光照射装置と、上記小便器の状態を表すような光を上記吐水装置の前方に向けて照射する第２光照射装置と、を備えた上記吐水装置と、を備え、上記吐水装置は、洗浄水を吐出する吐水口部と、上記第１光照射装置の下方の開口部とを形成すると共に、上記吐水装置の内部において上記第２光照射装置を上記第１光照射装置の側方又は上方に配置し、さらに、上記第１光照射装置と上記第２光照射装置との間に遮断部を設けたことを特徴としている。
このように構成された本発明によれば、洗浄水を吐水口部から吐出する吐水装置が、洗浄水を吐出する吐水口部に加えて、使用者が小便を当てるべきターゲット位置を上記ボウル面上に指示するように、下方の上記ボウル面上に光を照射する第１光照射装置と、上記小便器の状態を表すような光を上記吐水装置の前方に向けて照射する第２光照射装置と、を備える場合において、吐水装置が吐水装置の内部において第２光照射装置を第１光照射装置の側方又は上方に配置することにより、吐水装置を薄型化することができる。
また、このように吐水装置を薄型化するように、吐水装置の内部に第１光照射装置及び第２光照射装置を配置する場合において、第１光照射装置と第２光照射装置との間に遮断部を設けることにより、第２光照射装置から照射される光が、第１光照射装置から照射される光と混ざり、第１光照射装置から照射される光の強度や色に影響を与えることを抑制することができる。
さらに、第１光照射装置と第２光照射装置との間に遮断部を設けるので、照射装置の光をより効率的に照射方向に向けて照射することができ、それぞれの光照射装置から照射される光の強度の低下を抑制することができ、光を使用者に視認しやすくすることができる。
【００１１】
本発明において、好ましくは、上記遮断部は、上記第２光照射装置の回路基板を覆うポッティング材を充填する区画の一部を形成する。
このように構成された本発明によれば、遮断部によって形成されるポッティング材を充填する区画に、第２光照射装置の回路基板を覆うようにポッティング材が充填され、ポッティングが形成される。よって、第２光照射装置の回路基板の被水を防止し、防水性を向上させることができる。また、遮断部がポッティング材を充填する区画の一部を形成するため、ポッティング材を充填する区画を形成するために新たな部材を設ける必要が無く、吐水装置を小型化することができる。
【００１２】
本発明において、好ましくは、上記吐水装置は、上記第１光照射装置が配置される空間及び上記第２光照射装置が配置される空間と、上記吐水口部まで延びる導水路とを仕切る仕切り壁を備えている。
このように構成された本発明によれば、吐水装置が第１光照射装置が配置される空間及び第２光照射装置が配置される空間と、吐水口部まで延びる導水路とを仕切る仕切り壁を備えている。よって、それぞれの光照射装置が被水してしまうことを抑制することができると共に、第１光照射装置及び第２光照射装置から照射される光が水滴によりぼやけることを抑制することができる。
【００１３】
本発明において、好ましくは、上記遮断部は、上記吐水装置の内部に上記第１光照射装置及び上記第２光照射装置を配置する吐水装置本体部材と一体に形成されている。
このように構成された本発明によれば、遮断部が吐水装置の内部に第１光照射装置及び第２光照射装置を配置する吐水装置本体部材と一体に形成されているので、別部材の遮断部を吐水装置本体部材に取り付けるための取付構造を省略することができ、吐水装置を小型化することができる。
【００１４】
本発明において、好ましくは、上記遮断部は、上記第２光照射装置の周囲を取り囲むように形成されている。
このように構成された本発明によれば、上記第２光照射装置の光が周囲に漏れ出すことをより確実に防ぐことができる。また、第２光照射装置の光をより効率的に吐水装置の前方に向けて導くことができ、照射される光の強度の低下を抑制することができる。
【発明の効果】
【００１５】
本発明の小便器によれば、吐水装置が、吐水口部に加えて、ボウル面上に光を照射する第１光照射装置と、吐水装置の前方に向けて光を照射する第２光照射装置と、を備える場合に、吐水装置を薄型化することができると共に、第２光照射装置から照射される光が、第１光照射装置から照射される光と混ざり、第１光照射装置から照射される光の強度や色に影響を与えることを抑制することができる。
【図面の簡単な説明】
【００１６】
【図１】本発明の一実施形態による小便器全体を示す斜視図である。
【図２】本発明の一実施形態による小便器の断面図である。
【図３】本発明の一実施形態による小便器に取り付けられているスプレッダーの断面図である。
【図４】本発明の一実施形態による小便器に取り付けられているスプレッダーの正面図である。
【図５】本発明の一実施形態による小便器のスプレッダーの遮断部の第１変形例を示すスプレッダーの断面図である。
【図６】本発明の一実施形態による小便器のスプレッダーの遮断部の第２変形例を示すスプレッダーの断面図である。
【図７】本発明の一実施形態による小便器のスプレッダーの遮断部の第２変形例を示すスプレッダーの正面図である。
【図８】本発明の一実施形態による小便器のスプレッダーの遮断部の第３変形例を示すスプレッダーの断面図である。
【図９】本発明の一実施形態による小便器のスプレッダーの遮断部の第４変形例を示すスプレッダーの断面図である。
【図１０】本発明の一実施形態による小便器のスプレッダーの遮断部の第５変形例を示すスプレッダーの断面図である。
【発明を実施するための形態】
【００１７】
次に、添付図面を参照して、本発明の一実施形態による小便器を説明する。
まず、図１乃至図４を参照して、本発明の一実施形態による小便器を説明する。図１は本発明の一実施形態による小便器全体を示す斜視図であり、図２は本発明の一実施形態による小便器の断面図であり、図３は本発明の一実施形態による小便器に取り付けられているスプレッダーの断面図であり、図４は本発明の一実施形態による小便器に取り付けられているスプレッダーの正面図である。
なお、小便器の「後方」は、小便器の壁面に当接する背面側の方向とし、小便器の「前方」は、小便器を使用する使用者側から見て手前側の方向（「後方」の反対方向）とし、小便器を前方から見て右側の方向を右方向とし、前方から見て左側の方向を左方向とし、右方向及び左方向を小便器の側方として説明している。
【００１８】
図１に示すように、本発明の一実施形態の小便器１は、壁面Ｗに取り付けて使用する壁掛け形の小便器である。小便器１は、前方側に形成されたボウル部２を備えている。ボウル部２は、使用者の小便を受けるボウル面４と、このボウル面４の底部に設けられた排水口部６と、小便器１の前に立つ使用者を検知する人体検知センサ（図示せず）とを備えている。
【００１９】
図２に示すように、さらに、小便器１には、排水口部６と連通するように下方に向けて延びる下降管８ａと、この下降管８ａの下端から折り返して上方に向けて延びる上昇管８ｂと、この上昇管８ｂの上端から壁面Ｗに向けて水平に延びる排出管８ｃが設けられている。下降管８ａ及び上昇管８ｂはトラップ管路として機能する。排出管８ｃは排水配管９に接続されており、排水配管９は、壁面Ｗを通って壁面Ｗの裏側まで延び、排水設備（図示せず）まで延びている。排水口部６を覆うように、概ね円盤状の目皿１１が配置されている。
【００２０】
次に、図２乃至図４を参照して、スプレッダー１０の構成を詳細に説明する。
小便器１は、さらに、ボウル面４の左右方向中央の上部に吐水装置であるスプレッダー１０を備えている。スプレッダー１０は、ボウル面４に取り付けられ、洗浄水を吐水口部１２から吐出することにより、ボウル面４を洗浄するようになっている。
【００２１】
ボウル面４は、壁面Ｗと概ね平行に延びる正面部４ａと、この正面部４ａの両側から、小便器１の前端部に向けて延びる側面部４ｂから構成されている。正面部４ａ及び側面部４ｂの上方は開放されており、ボウル面４には「天井面」に相当する部分がない。また、正面部４ａは、その上部においては概ね平面状に構成され、下方にかけて前端部側（使用者が立つ側）にせり出すように湾曲して形成されている。
【００２２】
図１、図３及び図４に示すように、スプレッダー１０は、正面部４ａに取り付けられている。正面部４ａのスプレッダー１０が取り付けられている部分は、概ね鉛直に延びる平面を形成している。
スプレッダー１０は、正面部４ａに取り付けられる吐水装置本体部材である本体基部１４と、前方側を覆うように形成される吐水装置本体部材である本体カバー部１６と、吐水口部１２からボウル面４の正面部４ａの裏側へ延びる導水路１８と、下方のボウル面４上に光を照射する第１光照射装置２０と、光をスプレッダー１０の前方に向けて照射する第２光照射装置２２と、を備えている。また、小便器１は、第１光照射装置２０及び第２光照射装置２２の動作を制御する制御部２４を備えている。
スプレッダー１０は、吐水機能に加えて、複数の光照射装置を備えた高機能光照射装置を兼ねているタイプのスプレッダーである。
【００２３】
本体基部１４は、正面部４ａの開口に取付けられている。本体基部１４は、正面部４ａの前側において概ね円柱状の外形を形成している。本体基部１４は、樹脂により形成されている。本体カバー部１６は、概ね円筒状のキャップ部分の外形を形成し、本体基部１４の外径よりも大きな内径を有している。本体カバー部１６は、前面１６ａが円形に形成され、側面１６ｂ（図１参照）の外周のうち下部の一部が開口され、その他の部分は側壁を形成している。本体カバー部１６は、本体基部１４と組み合わさった状態で、スプレッダー１０の内部において第１光照射装置２０と第２光照射装置２２とを配置し、これらを内蔵する。本体カバー部１６は、樹脂により形成されている。
【００２４】
本体基部１４及び本体カバー部１６は、洗浄水を吐出する吐水口部１２を形成している。吐水口部１２は、スプレッダー１０の正面部４ａの取付面部分に沿って延びる薄型の開口であり、下方に向けて扇形に広がるように形成されている。洗浄水は、この吐水口部１２から下方に向けて吐出される。さらに、本体基部１４及び本体カバー部１６は、第１光照射装置２０の下方の開口部２６を形成している。開口部２６は、第１光照射装置２０が配置される第１空間２８の出口を形成している。
【００２５】
導水路１８は、ボウル面４の正面部４ａを貫通して延びる管状の部分を形成し、洗浄水の給水源（図示せず）に接続される。吐水口部１２は、導水路１８と連通するように構成されており、導水路１８を介して供給された洗浄水を、下方に向けて吐水口部１２から吐出するように構成されている。これにより、図１の矢印Ｆに示すように、スプレッダー１０から吐出される洗浄水は、ボウル面４の正面部４ａに沿って下方に広がるように流れ、その一部は、ボウル面４の側面部４ｂに沿って小便器１の前端部まで導かれる。
【００２６】
図３に示すように、導水路１８には、給水源である水道３２から電磁弁３４を介して洗浄水が供給される。この電磁弁３４は、制御部２４の制御信号に基づいて、所定のタイミングで開閉される。また、制御部２４は、第１光照射装置２０と電気的に接続され、第１光照射装置２０から所定のタイミングで所定のパターンの光を射出させる。また、制御部２４は、第２光照射装置２２とも電気的に接続され、第２光照射装置２２から所定のタイミングで所定のパターンの光を射出させる。制御部２４は、マイクロプロセッサ、メモリ、インターフェイス回路、及びこれらを作動させるプログラム等（図示せず）により、小便器１の洗浄動作、及び第１光照射装置２０及び第２光照射装置２２の発光動作を制御する機能を有する。
【００２７】
第１光照射装置２０は、スプレッダー１０内に内蔵される。第１光照射装置２０は、ボウル面４の正面部４ａ上に光を投射することにより、ボウル面４上に輝点Ｔを形成し、使用者が小便を当てるべきターゲット位置をボウル面４上に指示するように構成されている。よって、小便器１は、ターゲット位置の指示機能を備えている。
【００２８】
第１光照射装置２０は、光源である第１発光ダイオード３６と、この第１発光ダイオード３６から発せられた光を所定の広がり角度で射出させる光射出部であるレンズ３８と、を備えている。第１光照射装置２０は、ユニット化されており、第１光照射装置２０の下端２０ａが開口部２６の近傍に配置される。第１発光ダイオード３６は、制御部２４からの指令により、所定のパターンで発光するように制御される。第１発光ダイオード３６は、例えば、青色の光を発光する。第１発光ダイオード３６は、発光する光の色を変更可能な多色タイプのものであってもよい。第１発光ダイオード３６の取り付けられた回路基板（図示せず）はハーネス３７により制御部２４と電気的に接続されている。
【００２９】
レンズ３８は、第１光照射装置２０の下端から射出される光が、下方に向けて、所定の光軸Ａを中心に僅かな広がり角をもって射出されるように構成され、配置されている。第１光照射装置２０の下端２０ａから下方向きに射出された光はボウル面４上の所定の位置に当たり、ボウル面４上にターゲットマークとして輝点Ｔを形成する。この輝点Ｔの位置が、小便を当てるべきターゲット位置として使用者に指示される。
【００３０】
変形例として、第１光照射装置２０はレーザー光を照射するレーザーダイオードであってもよく、第１光照射装置２０がレーザーダイオードである場合にはレンズ３８は省略される。
【００３１】
第２光照射装置２２は、小便器１の状態を表すような光をスプレッダー１０の前方に向けて照射する。第２光照射装置２２は、光源である第２発光ダイオード４０と、第２発光ダイオード４０を設ける回路基板４２とを備えている。
【００３２】
第２発光ダイオード４０は、スプレッダー１０の前面上部に向けて配置される。第２発光ダイオード４０から発せられた光は本体カバー部１６を透過して本体カバー部１６の前方に射出される。第２発光ダイオード４０は、制御部２４からの指令により、小便器１の状態に応じて発光形態が変化する。第２発光ダイオード４０は、例えば、人体検知センサの人体検知状態に応じて点滅発光する、また例えば制御部２４のエラー等の状態に応じて点滅発光するように制御部２４により制御される。また例えば制御部２４が小便器１の清掃状態を認識する場合には第２発光ダイオード４０は点滅発光される。点滅発光のパターンは、それぞれの状態に応じて、１Ｈｚ点滅、２Ｈｚ点滅、２回点滅等に変更されるため、使用者に小便器１の各状態を識別させることができる。
第２発光ダイオード４０は、赤色の光を発光する。第２発光ダイオード４０は、発光する光の色を変更可能な多色タイプのものであってもよい。第２発光ダイオード４０は、別の色を発光する複数のＬＥＤを並べることにより構成されてもよい。例えば第２発光ダイオード４０が人体検知センサの人体検知状態に応じて青色発光し、制御部２４のエラー等の状態に応じて赤色発光するように制御部２４により制御されてもよい。回路基板４２は、ハーネス４４により制御部２４と電気的に接続されている。
【００３３】
小便器１の正面視において、吐水口部１２と第１光照射装置２０とは、スプレッダー１０内の重なる位置に位置決めされている。また、吐水口部１２と第１光照射装置２０とは、正面部４ａからの前方向の高さが異なる高さとなる位置に位置決めされている。小便器１の正面視において、吐水口部１２と第２光照射装置２２とは、スプレッダー１０内の重ならない位置に位置決めされている。また、吐水口部１２と第２光照射装置２２とは、正面部４ａからの前方向の高さが異なる高さとなる位置に位置決めされている。第１光照射装置２０と第２光照射装置２２とは、正面部４ａからの高さがほぼ同じ高さとなっていている。なお、吐水口部１２と、第２光照射装置２２とは、スプレッダー１０内において、小便器１の正面視において重なる位置に位置決めされていてもよい。
【００３４】
これにより、吐水口部１２、第１光照射装置２０及び第２光照射装置２２を、本体基部１４と、本体カバー部１６とにより形成される内側空間内に配置することができ、さらに、スプレッダー１０を比較的コンパクトに形成することができる。また、吐水口部１２と、第１光照射装置２０及び第２光照射装置２２とを、正面部４ａからの高さが異なる高さとなる位置に配置することにより、吐水口部１２の正面側のボウル面４の中央位置を避けて第１光照射装置２０を配置する必要が無く、ボウル面４の中央に第１光照射装置２０を配置することができる。このため、第１光照射装置２０は、ボウル面４の適正な位置に向けてまっすぐに光を照射することができ、ボウル面４上に左右対称な綺麗な輝点Ｔを容易に形成することができる。吐水口部１２が正面部４ａ近傍に配置され、第１光照射装置２０が吐水口部１２の前側に（吐水口部１２よりも正面部４ａから離間した位置に）配置されている。
【００３５】
このように、スプレッダー１０が、洗浄水を吐出する吐水口部１２に加えて、第１光照射装置２０と、第２光照射装置２２と、を備える場合において、さらに、スプレッダー１０を前後方向に薄型化してコンパクトに形成するように、スプレッダー１０の内部において第２光照射装置２２を第１光照射装置２０の側方又は上方に配置し、さらに、第１光照射装置２０と第２光照射装置２２との間に遮断部４６を設けている。
【００３６】
本体基部１４と、本体カバー部１６とにより形成される内側空間内において、第１光照射装置２０は、左右中央に配置されている。内側空間内において、第２光照射装置２２は第１光照射装置２０の下端２０ａよりも上方に配置されている。第２光照射装置２２は、第１光照射装置２０の側方の上方に配置されていてもよい。第２光照射装置２２を第１光照射装置２０の側方又は上方に配置するので、第２光照射装置２２及び第１光照射装置２０の正面部４ａからの高さをほぼ同じ高さとすることができる。よって、第１光照射装置２０及び第２光照射装置２２を内蔵したとしても、スプレッダー１０が前後方向に厚くなることを抑制し、スプレッダー１０を小型化且つ薄型化することができる。
さらに、スプレッダー１０を小型化且つ薄型化するように、第２光照射装置２２を第１光照射装置２０の側方又は上方に近接して配置したとしても、第１光照射装置２０と第２光照射装置２２との間に遮断部４６を設けることにより、第２光照射装置２２から照射される光が、第１光照射装置２０から照射される光と混ざることを防ぐことができる。さらに、第２光照射装置２２から照射される光が、第１光照射装置２０から照射される光の強度や色に影響を与えることを抑制することができる。
【００３７】
遮断部４６は、第１光照射装置２０と第２光照射装置２２との間に位置している。遮断部４６は、本体基部１４から前後方向にほぼ水平に本体カバー部１６まで延びている。遮断部４６は、スプレッダー１０を前方から見て回路基板４２の下辺に沿ってほぼ水平な板状部分を形成している。遮断部４６は、第１光照射装置２０が配置される第１空間２８と、第２光照射装置２２が配置される第２空間３０とを区切る壁部を形成している。遮断部４６は、第２光照射装置２２の第２発光ダイオード４０から発する光が第１光照射装置２０側の第１空間２８に漏れることを抑制する。よって、第２光照射装置２２の光をより効率的にスプレッダー１０の前方に向けて導くことができ、照度の低下を抑制し、照射される光の強度の低下を抑制することができる。
【００３８】
遮断部４６と本体カバー部１６との間に隙間が形成されていてもよい。よって、遮断部４６は、回路基板４２から回路基板４２上の第２発光ダイオード４０よりも前方側の所定距離まで延びるように形成されてもよい。このとき遮断部４６と本体カバー部１６との間の隙間は、第２発光ダイオード４０から発する光がこの隙間を通って下方側の第１空間２８に漏れにくい大きさに形成される。
【００３９】
遮断部４６は、本体基部１４と一体に形成されているので、遮断部４６を本体基部１４に取付ける取付部材を省略することができ、本体基部１４を小型化することができ、スプレッダー１０を小型化することができる。
遮断部４６は、第２光照射装置２２の回路基板４２を覆うポッティング材を充填する区画の一部を形成する。より具体的には、遮断部４６は、回路基板４２を囲うように形成される壁部のうち第１光照射装置２０側の壁部を形成している。よって、遮断部４６は、ポッティング材を充填する容器の一部を形成することとなり、液体状態のポッティング用の樹脂を貯留して硬化させることができる。第２光照射装置２２が配置される第２空間３０は、回路基板４２、本体カバー部１６、本体基部１４及び遮断部４６により形成され、ポッティング材が充填され、ポッティング４８が第２空間３０のほぼ全体又は一部を満たすように形成される。よって、ポッティング４８により第２光照射装置２２の回路基板４２の被水を防止し、防水性を向上させることができる。また、遮断部４６がポッティング材を充填する容器の一部を兼ねることにより、遮断部４６の他に容器を形成する部材を取付ける必要がなくなり、部材点数を減らすことができ、スプレッダー１０を安価にできると共に小型化することができる。
【００４０】
なお、スプレッダー１０の本体基部１４は、第１光照射装置２０が配置される第１空間２８及び第２光照射装置２２が配置される第２空間３０と、吐水口部１２まで延びる導水路１８とを仕切る仕切り壁５０を備えている。仕切り壁５０は、吐水口部１２の前方且つ第１光照射装置２０及び第２光照射装置２２の後方で左右方向に広がる壁面を形成している。よって、第１光照射装置２０及び第２光照射装置２２のそれぞれが被水してしまうことを抑制することができると共に、第１光照射装置２０及び第２光照射装置２２に水滴が付着することにより第１光照射装置２０及び第２光照射装置２２から照射される光が水滴によりぼやけることを抑制することができる。
【００４１】
つぎに、図５を参照して、本発明の一実施形態による小便器１のスプレッダー１０の遮断部４６の第１変形例について説明する。
図５は本発明の一実施形態による小便器のスプレッダーの遮断部の第１変形例を示すスプレッダーの断面図である。
本発明の一実施形態の第１変形例として、小便器１のスプレッダー１０の遮断部１４６は、本体カバー部１６と一体に形成されているので、遮断部１４６を本体カバー部１６に取付ける取付部材を省略することができ、本体カバー部１６を小型化することができ、スプレッダー１０を小型化することができる。
【００４２】
遮断部１４６は、第１光照射装置２０と第２光照射装置２２との間に位置している。遮断部１４６は、本体カバー部１６から前後方向にほぼ水平に本体基部１４まで延びている。遮断部１４６は、スプレッダー１０を前方から見て回路基板４２の下辺に沿ってほぼ水平な板状部分を形成している。遮断部１４６は、第１光照射装置２０が配置される第１空間２８と、第２光照射装置２２が配置される第２空間３０とを区切る壁部を形成している。遮断部１４６は、第２光照射装置２２の第２発光ダイオード４０から発する光が第１光照射装置２０側の第１空間２８に漏れることを抑制する。第２光照射装置２２の光をより効率的にスプレッダー１０の前方に向けて導くことができ、照度の低下を抑制し、照射される光の強度の低下を抑制することができる。
【００４３】
遮断部１４６は、第２光照射装置２２の回路基板４２を覆うポッティング材を充填する区画の一部を形成する。より具体的には、遮断部１４６は、回路基板４２を囲うように形成される壁部のうち第１光照射装置２０側の壁部を形成している。よって、遮断部１４６は、ポッティング材を充填する容器の一部を形成することとなり、液体状態のポッティング用の樹脂を貯留して硬化させることができる。第２光照射装置２２が配置される第２空間３０は、回路基板４２、本体カバー部１６、本体基部１４及び遮断部１４６により形成され、ポッティング材が充填され、ポッティング４８が第２空間３０のほぼ全体又は一部を満たすように形成される。よって、ポッティング４８により第２光照射装置２２の回路基板４２の被水を防止し、防水性を向上させることができる。また、遮断部１４６がポッティング材を充填する容器の一部を兼ねることにより、遮断部１４６の他に容器を形成する部材を取付ける必要がなくなり、部材点数を減らすことができ、スプレッダー１０を安価にできると共に小型化することができる。
【００４４】
つぎに、図６及び図７を参照して、本発明の一実施形態による小便器１のスプレッダー１０の遮断部４６の第２変形例について説明する。
図６は本発明の一実施形態による小便器のスプレッダーの遮断部の第２変形例を示すスプレッダーの断面図であり、図７は本発明の一実施形態による小便器のスプレッダーの遮断部の第２変形例を示すスプレッダーの正面図である。
本発明の一実施形態の第２変形例として、小便器１のスプレッダー１０の遮断部２４６は、本体基部１４及び本体カバー部１６と別体に形成されると共に、円筒状に形成されている。
【００４５】
遮断部２４６は、第１光照射装置２０と第２光照射装置２２との間に位置している。遮断部２４６は、本体基部１４から前後方向にほぼ水平に本体カバー部１６まで延びている。遮断部２４６は、スプレッダー１０を前方から見て本体カバー部１６の内側にほぼ円形に形成されている。遮断部２４６は、第１光照射装置２０が配置される第１空間２８と、第２光照射装置２２が配置される第２空間３０とを区切る壁部を形成している。遮断部２４６は、第２光照射装置２２の第２発光ダイオード４０から発する光が第１光照射装置２０側の第１空間２８に漏れることを抑制する。
【００４６】
遮断部２４６は、第２光照射装置２２の回路基板４２を覆うポッティング材を充填する区画の一部を形成する。より具体的には、遮断部２４６は、一部材により回路基板４２を囲うように形成される壁部を形成している。第２光照射装置２２が配置される第２空間３０は、回路基板４２、本体カバー部１６及び遮断部２４６により形成され、ポッティング材が充填され、ポッティング４８が第２空間３０のほぼ全体又は一部を満たすように形成されている。よって、ポッティング４８により第２光照射装置２２の回路基板４２の被水を防止し、防水性を向上させることができる。このように、遮断部２４６がポッティング材を充填する容器の一部を兼ねることにより、遮断部２４６の他に容器を形成する部材を取付ける必要がなくなり、部材点数を減らすことができ、スプレッダー１０を安価にできると共に小型化することができる。さらに、遮断部２４６は、円筒状に形成されているので、一部材によりポッティング材を充填する第２空間３０の側面を覆うことができ、比較的簡単にポッティング材を充填する容器を構成することができる。よって、部材点数を減らすことができ、スプレッダー１０を安価にできると共に小型化することができる。
【００４７】
また、遮断部２４６は、第２光照射装置２２の側方の周囲を取り囲むように形成されている。よって、第２光照射装置２２の光が側方の周囲に漏れ出すことをより確実に防ぐことができる。また、第２光照射装置２２の光をより効率的にスプレッダー１０の前方に向けて導くことができ、照度の低下を抑制し、照射される光の強度の低下を抑制することができる。
【００４８】
つぎに、図８を参照して、本発明の一実施形態による小便器１のスプレッダー１０の遮断部４６の第３変形例について説明する。
図８は本発明の一実施形態による小便器のスプレッダーの遮断部の第３変形例を示すスプレッダーの断面図である。
本発明の一実施形態の第３変形例として、小便器１のスプレッダー１０の遮断部３４６は、本体基部１４及び本体カバー部１６と別体に形成されると共に平板状に形成されている。
【００４９】
遮断部３４６は、第１光照射装置２０と第２光照射装置２２との間に位置している。遮断部３４６は、回路基板４２上に実装される電子部品である。１つ又は複数の電子部品が壁のように配置されることにより、遮断部３４６を構成している。このような電子部品の位置に回路基板がさらに配置されていてもよい。遮断部３４６は、本体基部１４から前後方向にほぼ水平に本体カバー部１６まで延びている。遮断部３４６は、スプレッダー１０を前方から見て回路基板４２の下部まで延びるほぼ水平な板状部分を形成している。遮断部３４６は、第１光照射装置２０が配置される第１空間２８と、第２光照射装置２２が配置される第２空間３０とを区切る壁部を形成している。遮断部３４６は、第２光照射装置２２の第２発光ダイオード４０から発する光が第１光照射装置２０側の第１空間２８に漏れることを抑制する。
【００５０】
遮断部３４６は、第２光照射装置２２の回路基板４２を覆うポッティング材を充填する区画の一部を形成する。より具体的には、遮断部３４６は、回路基板４２を囲うように形成される壁部のうち第１光照射装置２０側の壁部を形成している。よって、遮断部３４６は、ポッティング材を充填する容器の一部を形成することとなり、液体状態のポッティング用の樹脂を貯留して硬化させることができる。第２光照射装置２２が配置される第２空間３０は、回路基板４２、本体カバー部１６、本体基部１４及び遮断部３４６により形成され、ポッティング材が充填され、ポッティング４８が第２空間３０のほぼ全体又は一部を満たすように形成される。よって、ポッティング４８により第２光照射装置２２の回路基板４２の被水を防止し、防水性を向上させることができる。また、遮断部３４６がポッティング材を充填する容器の一部を兼ねることにより、遮断部３４６の他に容器を形成する部材を取付ける必要がなくなり、部材点数を減らすことができ、スプレッダー１０を安価にできると共に小型化することができる。
【００５１】
つぎに、図９を参照して、本発明の一実施形態による小便器１のスプレッダー１０の遮断部４６の第４変形例について説明する。
図９は本発明の一実施形態による小便器のスプレッダーの遮断部の第４変形例を示すスプレッダーの断面図である。
本発明の一実施形態の第４変形例として、小便器１のスプレッダー１０の遮断部４４６は、第１光照射装置２０により形成されている。
【００５２】
遮断部４４６は、第１光照射装置２０の上部により形成されている。第１光照射装置２０が、本体基部１４と本体カバー部１６とを前後方向にほぼ接続する部分を形成し、遮断部４４６として機能している。第１光照射装置２０は、少なくとも第２光照射装置２２の第２発光ダイオード４０の鉛直下方において遮断部４４６として機能する部分を形成している。遮断部４４６は、本体基部１４から前後方向にほぼ水平に本体カバー部１６まで延びている。遮断部４４６は、スプレッダー１０を前方から見て回路基板４２の下方においてほぼ水平な板状部分を形成している。遮断部４４６は、第１光照射装置２０が配置される第１空間２８と、第２光照射装置２２が配置される第２空間３０とを少なくとも部分的に区切る壁部を形成している。遮断部４４６は、第２光照射装置２２の第２発光ダイオード４０から発する光が第１光照射装置２０側の第１空間２８に漏れることを抑制する。
【００５３】
遮断部４４６は、第２光照射装置２２の回路基板４２を覆うポッティング材を充填する区画の一部を形成する。より具体的には、遮断部４４６は、回路基板４２を囲うように形成される壁部のうち第１光照射装置２０側の壁部を形成している。よって、遮断部４４６は、ポッティング材を充填する容器の一部を形成することとなり、液体状態のポッティング用の樹脂を貯留して硬化させることができる。第２光照射装置２２が配置される第２空間３０は、回路基板４２、本体カバー部１６、本体基部１４及び遮断部４４６により形成され、ポッティング材が充填され、ポッティング４８が第２空間３０のほぼ全体又は一部を満たすように形成される。よって、ポッティング４８により第２光照射装置２２の回路基板４２の被水を防止し、防水性を向上させることができる。また、遮断部４４６がポッティング材を充填する容器の一部を兼ねることにより、遮断部４４６の他に容器を形成する部材を取付ける必要がなくなり、部材点数を減らすことができ、スプレッダー１０を安価にできると共に小型化することができる。
【００５４】
つぎに、図１０を参照して、本発明の一実施形態による小便器１のスプレッダー１０の遮断部４６の第５変形例について説明する。
図１０は本発明の一実施形態による小便器のスプレッダーの遮断部の第５変形例を示すスプレッダーの断面図である。
本発明の一実施形態の第５変形例として、小便器１のスプレッダー１０の遮断部５４６は、第１光照射装置２０及び遮断構造５５２により形成されている。
【００５５】
遮断構造５５２は、第１光照射装置２０及び本体カバー部１６の間の隙間を左右方向の所定長さにわたって埋めるように形成されている。よって、第１光照射装置２０及び遮断構造５５２が、本体基部１４と本体カバー部１６とを前後方向にほぼ接続する部分を形成し、光を遮断する遮断部５４６として機能している。本体基部１４と本体カバー部１６とを前後方向にほぼ接続できる構造であれば、遮断構造５５２は、第１光照射装置２０及び本体基部１４の間の隙間を埋めるように形成されていてもよい。遮断構造５５２は、本体基部１４と本体カバー部１６とは別部材であるが、本体基部１４及び本体カバー部１６のいずれかと一体に形成されていてもよい。
【００５６】
第１光照射装置２０及び遮断構造５５２は、第２光照射装置２２の第２発光ダイオード４０の少なくとも鉛直下方において遮断部５４６として機能する部分を形成している。遮断構造５５２は、スプレッダー１０を前方から見て回路基板４２の左右方向の幅に相当する長さにわたってほぼ水平な板状部分を形成している。遮断部５４６は、第１光照射装置２０及び遮断構造５５２により、第１光照射装置２０が配置される第１空間２８と、第２光照射装置２２が配置される第２空間３０とを少なくとも部分的に区切る壁部を形成している。遮断部５４６は、第２光照射装置２２の第２発光ダイオード４０から発する光が第１光照射装置２０側の第１空間２８に漏れることを抑制する。
【００５７】
遮断部５４６は、第２光照射装置２２の回路基板４２を覆うポッティング材を充填する区画の一部を形成する。より具体的には、遮断部５４６は、回路基板４２を囲うように形成される壁部のうち第１光照射装置２０側の壁部を形成している。よって、遮断部５４６は、ポッティング材を充填する容器の一部を形成することとなり、液体状態のポッティング用の樹脂を貯留して硬化させることができる。第２光照射装置２２が配置される第２空間３０は、回路基板４２、本体カバー部１６、本体基部１４及び遮断部５４６により形成され、ポッティング材が充填され、ポッティング４８が第２空間のほぼ全体又は一部を満たすように形成される。よって、ポッティング４８により第２光照射装置２２の回路基板４２の被水を防止し、防水性を向上させることができる。また、遮断部５４６がポッティング材を充填する容器の一部を兼ねることにより、遮断部５４６の他に容器を形成する部材を取付ける必要がなくなり、部材点数を減らすことができ、スプレッダー１０を安価にできると共に小型化することができる。
【００５８】
本発明の一実施形態の小便器１によれば、洗浄水を吐水口部１２から吐出するスプレッダー１０が、洗浄水を吐出する吐水口部１２に加えて、使用者が小便を当てるべきターゲット位置をボウル面４上に指示するように、下方のボウル面４上に光を照射する第１光照射装置２０と、小便器１の状態を表すような光をスプレッダー１０の前方に向けて照射する第２光照射装置２２と、を備える場合において、スプレッダー１０がスプレッダー１０の内部において第２光照射装置２２を第１光照射装置２０の側方又は上方に配置することにより、スプレッダー１０を薄型化することができる。また、このようにスプレッダー１０を薄型化するように、スプレッダー１０の内部に第１光照射装置２０及び第２光照射装置２２を配置する場合において、第１光照射装置２０と第２光照射装置２２との間に遮断部４６、１４６、２４６、３４６、４４６、５４６を設けることにより、第２光照射装置２２から照射される光が、第１光照射装置２０から照射される光と混ざり、第１光照射装置２０から照射される光の強度や色に影響を与えることを抑制することができる。
また、遮断部４６、１４６、２４６、３４６、４４６、５４６を設けることにより、第２光照射装置２２から照射される光が、スプレッダー１０内で反射され、ボウル面４上に照射されてしまうことを抑制することができる。
また、子供等の背の低い使用者がスプレッダー１０の下部を見上げた場合に、第１光照射装置２０から照射される光とは別の第２光照射装置２２からの光が見えることにより、この使用者にスプレッダー１０への違和感を生じさせることを抑制することができる。
さらに、第１光照射装置２０と第２光照射装置２２との間に遮断部４６を設けるので、照射装置の光をより効率的に照射方向に向けて照射することができ、それぞれの光照射装置から照射される光の強度の低下を抑制することができ、光を使用者に視認しやすくすることができる。
【００５９】
また、本発明の一実施形態の小便器１によれば、遮断部４６、１４６、２４６、３４６、４４６、５４６によって形成されるポッティング材を充填する区画に、第２光照射装置２２の回路基板４２を覆うようにポッティング材が充填され、ポッティング４８が形成される。よって、第２光照射装置２２の回路基板４２の被水を防止し、防水性を向上させることができる。
また、遮断部４６、１４６、２４６、３４６、４４６、５４６がポッティング材を充填する区画の一部を形成するため、ポッティング材を充填する区画を形成するために新たな部材を設ける必要が無く、スプレッダー１０を小型化することができる。
【００６０】
さらに、本発明の一実施形態の小便器１によれば、スプレッダー１０が第１光照射装置２０が配置される第１空間２８及び第２光照射装置２２が配置される第２空間３０と、吐水口部まで延びる導水路１８とを仕切る仕切り壁５０を備えている。よって、それぞれの光照射装置が被水してしまうことを抑制することができると共に、第１光照射装置２０及び第２光照射装置２２から照射される光が水滴によりぼやけることを抑制することができる。
【００６１】
また、本発明の一実施形態の小便器１によれば、遮断部４６、１４６がスプレッダー１０の内部に第１光照射装置２０及び第２光照射装置２２を配置する吐水装置本体部材と一体に形成されているので、別部材の遮断部４６、１４６を吐水装置本体部材に取り付けるための取付構造を省略することができ、スプレッダー１０を小型化することができる。
【００６２】
さらに、本発明の一実施形態の小便器１によれば、第２光照射装置２２の光が周囲に漏れ出すことをより確実に防ぐことができる。また、第２光照射装置２２の光をより効率的にスプレッダー１０の前方に向けて導くことができ、照射される光の強度の低下を抑制することができる。
【符号の説明】
【００６３】
１          小便器
２          ボウル部
４          ボウル面
４ａ        正面部
４ｂ        側面部
６          排水口部
８ａ        下降管
８ｂ        上昇管
８ｃ        排出管
９          排水配管
１０        スプレッダー
１１        目皿
１２        吐水口部
１４        本体基部
１６        本体カバー部
１６ａ      前面
１６ｂ      側面
１８        導水路
２０        第１光照射装置
２０ａ      下端
２２        第２光照射装置
２４        制御部
２６        開口部
２８        第１空間
３０        第２空間
３２        水道
３４        電磁弁
３６        第１発光ダイオード
３７        ハーネス
３８        レンズ
４０        第２発光ダイオード
４２        回路基板
４４        ハーネス
４６        遮断部
４８        ポッティング
５０        仕切り壁
１４６      遮断部
２４６      遮断部
３４６      遮断部
４４６      遮断部
５４６      遮断部
５５２      遮断構造
Ａ          光軸
Ｆ          矢印
Ｔ          輝点
Ｗ          壁面
【図１】
2019167786.tif 000003
【図２】
2019167786.tif 000004
【図３】
2019167786.tif 000005
【図４】
2019167786.tif 000006
【図５】
2019167786.tif 000007
【図６】
2019167786.tif 000008
【図７】
2019167786.tif 000009
【図８】
2019167786.tif 000010
【図９】
2019167786.tif 000011
【図１０】
2019167786.tif 000012